(57)【要約】【課題】寝ている体毛の外刃に対する導入性能のさらなる向上を図ることのできる電気かみそりを得る。【解決手段】電気かみそり１は、手で把持するグリップ部２と、桟３７によって画成された刃穴４０を有する外刃８と、当該外刃８の内方に配設されて外刃８に対して相対移動することで、当該外刃８と協働して刃穴４０に挿入された体毛を切断する内刃１７と、外刃８をグリップ部２に対して相対移動させる外刃駆動手段としてのモータ３３、ピニオン３４およびラック３５，３６と、を備えている。そして、外刃８のグリップ部２に対する相対移動方向と交差する方向に延在する桟３８ｂに、外刃８が肌面上を移動する際に体毛に当接して肌面に対して体毛を起立させる起毛部４５を設けた。【選択図】図３
2011147646.tif 000002
【特許請求の範囲】
【請求項１】
手で把持するグリップ部と、桟によって画成された刃穴を有する外刃と、当該外刃の内方に配設されて前記外刃に対して相対移動することで、当該外刃と協働して前記刃穴に挿入された体毛を切断する内刃と、前記外刃を前記グリップ部に対して相対移動させる外刃駆動手段と、を備える電気かみそりであって、
前記外刃の桟のうち外刃のグリップ部に対する相対移動方向と交差する方向に延在する桟に、外刃が肌面上を移動する際に体毛に当接して肌面に対して体毛を起立させる起毛部が設けられていることを特徴とする電気かみそり。
【請求項２】
前記内刃は、剃り方向と略直交する方向に往復動することで前記外刃に対して相対移動しており、
前記外刃駆動手段による前記外刃の前記グリップ部に対する相対移動が、前記内刃の往復動方向と前記剃り方向とを含む平面内における往復動、前記内刃の往復動方向および剃り方向と略直交する方向に沿った軸を中心とした旋回運動，前記内刃の往復運動方向および剃り方向と略直交する方向への往復動、前記内刃の往復動方向に沿った軸を中心とした旋回運動、および、前記剃り方向に沿った軸を中心とした旋回運動、のうちの少なくとも１つであることを特徴とする請求項１に記載の電気かみそり。
【請求項３】
前記外刃の領域のうち外刃と肌面との接触圧が高い部位に設けられた起毛部の前記体毛を起立させる起毛力が、接触圧が低い部位に設けられた起毛部の起毛力よりも小さいことを特徴とする請求項１または請求項２に記載の電気かみそり。
【請求項４】
前記外刃は側面視逆Ｕ字状に湾曲して形成されており、頂部が前記外刃と肌面との接触圧が高い部位であり、外側部が前記外刃と肌面との接触圧が低い部位であることを特徴とする請求項３に記載の電気かみそり。
【請求項５】
前記起毛部は前記外刃の桟の延在方向と直交する方向の両端に設けられており、当該起毛部のうち少なくとも外刃の接触圧が低い部位に設けられた起毛部は、桟の内刃側の面を下方にした状態で、当該内刃側の面が桟の延在方向と直交する方向の両端に向かうにつれて上方に傾斜した先細り状となっていることを特徴とする請求項３または請求項４に記載の電気かみそり。
【請求項６】
複数の前記外刃が剃り方向に並設されているとともに、当該複数の外刃の内方に前記内刃がそれぞれ配設されていることを特徴とする請求項１〜５のうちいずれか１項に記載の電気かみそり。
【発明の詳細な説明】
【技術分野】
【０００１】
本発明は、電気かみそりに関する。
【背景技術】
【０００２】
従来、電気かみそりとして、剃り方向と直交する方向に往復動する内刃をそれぞれ組み込んだ複数枚の外刃を剃り方向に並設し、各外刃を剃り方向と直交する方向に振動させるようにしたものが知られている（例えば、特許文献１参照）。
【０００３】
この特許文献１では、各外刃を剃り方向と直交する方向に振動させることで、剃り方向に対して直交する方向に寝ている体毛の外刃に対する導入性能の向上を図っている。
【先行技術文献】
【特許文献】
【０００４】
【特許文献１】特開２００７−２９１２３号公報
【発明の概要】
【発明が解決しようとする課題】
【０００５】
このように、各外刃を剃り方向と直交する方向に振動させれば、剃り方向に対して直交する方向に寝ている体毛の外刃に対する導入性能を向上させることが可能となるが、寝ている体毛の外刃に対する導入性能のさらなる向上を図れるようにすれば、なお好ましい。
【０００６】
そこで、本発明は、寝ている体毛の外刃に対する導入性能のさらなる向上を図ることのできる電気かみそりを得ることを目的とする。
【課題を解決するための手段】
【０００７】
本発明にあっては、手で把持するグリップ部と、桟によって画成された刃穴を有する外刃と、当該外刃の内方に配設されて前記外刃に対して相対移動することで、当該外刃と協働して前記刃穴に挿入させた体毛を切断する内刃と、前記外刃を前記グリップ部に対して相対移動させる外刃駆動手段と、を備える電気かみそりであって、前記外刃の桟のうち外刃のグリップ部に対する相対移動方向と交差する方向に延在する桟に、外刃が肌面上を移動する際に体毛に当接して肌面に対して体毛を起立させる起毛部が設けられていることを最も主要な特徴とする。
【発明の効果】
【０００８】
本発明によれば、外刃のグリップ部に対する相対移動方向と交差する方向に延在する桟に起毛部を設けたため、外刃のグリップ部に対する相対移動の際に、寝ている体毛を効率的に起毛させることができるようになる。その結果、寝ている体毛の外刃に対する導入性能のさらなる向上を図ることができる。
【図面の簡単な説明】
【０００９】
【図１】図１は、本発明の一実施形態にかかる電気かみそりを示す斜視図である。
【図２】図２は、刃ヘッドを示す分解斜視図である。
【図３】図３は、外刃の起毛部が設けられる桟を模式的に示す平面図である。
【図４】図４は、外刃を側方から見た概略図である。
【図５】図５は、外刃の一部を拡大した斜視図である。
【図６】図６は、（ａ）は図５のＡ−Ａ線による断面図、（ｂ）は短手方向端の拡大断面図である。
【図７】図７は、（ａ）は図５のＢ−Ｂ線による断面図、（ｂ）は起毛部の拡大断面図である。
【図８】図８は、図７の長手方向桟周辺を拡大した斜視図である。
【図９】図９は、図８のＣ−Ｃ線による拡大断面図である。
【図１０】図１０は、外刃が剃り方向に往復動する場合に起毛部が設けられる桟を模式的に示す平面図である。
【図１１】図１１は、外刃が内刃の往復動方向に往復動する場合に起毛部が設けられる桟を模式的に示す平面図である。
【図１２】図１２は、外刃が内刃の往復動方向および剃り方向と略直交する方向に沿った軸を中心として旋回運動する場合に起毛部が設けられる桟を模式的に示す平面図である。
【図１３】図１３は、外刃が内刃の往復動方向に沿った軸を中心として旋回運動する場合における外刃と肌面との接触圧の分布を模式的に示す側面図であって、（ａ）は頂部が上方に位置する状態を示す側面図、（ｂ）は頂部以外が上方に位置する状態を示す側面図である。
【図１４】図１４は、外刃が剃り方向に沿った軸を中心として旋回運動する場合における外刃と肌面との接触圧の分布を模式的に示す正面図であって、（ａ）は頂部が上方に位置する状態を示す正面図、（ｂ）は頂部以外が上方に位置する状態を示す正面図である。
【図１５】図１５は、外刃が内刃の往復運動方向および剃り方向と略直交する方向に往復動する場合の外刃を模式的に示す側面図である。
【図１６】図１６は、（ａ）は粗剃り時における外刃と肌面との接触圧の分布を模式的に示す側面図、（ｂ）は仕上げ剃り時における外刃と肌面との接触圧の分布を模式的に示す側面図である。
【図１７】図１７は、本発明の一実施形態の変形例にかかる長手方向桟を示す断面図であって、（ａ）は頂部における断面図、（ｂ）は外側部における断面図である。
【発明を実施するための形態】
【００１０】
以下、本発明の実施形態について図面を参照しながら詳細に説明する。なお、以下では、複数の外刃が並設される方向を前後方向（剃り方向）Ｘ、各外刃が延在する方向を左右方向（剃り方向と略直交する方向：内刃の往復動方向）Ｙとして説明する。また、外刃が上方を向くようにヘッド部を配置した状態における上下方向を上下方向（内刃の往復動方向および剃り方向と略直交する方向）Ｚとして説明する。
【００１１】
本実施形態にかかる電気ひげそり１は、図１に示すように、手で把持するグリップ部２と、グリップ部２に対して前後方向及び左右方向に揺動自在に支持されたヘッド部５と、を備えている。
【００１２】
グリップ部２は、合成樹脂製のグリップ本体３と、このグリップ本体３の上面より後方に突設された合成樹脂製のグリップ接続部４と、を備えている。そして、このグリップ接続部４の上面には、ヘッド部５を左右方向に揺動させる公知の左右揺動機構（図示せず）が設けられているとともに、この左右揺動機構とヘッド部５の下部との間には、ヘッド部５を前後方向に揺動させる公知の前後揺動機構（図示せず）が設けられている。なお、ヘッド部５を前後方向および左右方向に揺動させることなく、いずれか一方向に揺動させるようにしてもよいし、ヘッド部５が揺動しないようにグリップ部２に固定してもよい。
【００１３】
ヘッド部５は、図示せぬリニアモータが内蔵され、グリップ接続部４に前後方向および左右方向に揺動可能に接続されるリニアヘッド部６と、当該リニアヘッド部６の取り付けられるひげ剃り刃ユニット７と、を備えている。そして、グリップ本体３には、図１に示すように、リニアモータの駆動をオン、オフさせるスイッチ部９０およびグリップ本体３に内蔵される図示せぬ電池の充電状況を表示する表示部９１が形成されている。なお、表示部９１に電池の充電状況以外のものを表示させるようにしてもよいし、グリップ本体３に表示部を設けないようにしてもよい。
【００１４】
ひげ剃り刃ユニット７は、ヘッド部５の上方に向けて露出する外刃８と、当該外刃８の内方（外刃８の下側）に配設されて外刃８に対して相対移動する内刃１７と、を備えている。
【００１５】
本実施形態では、４枚（複数）の外刃を備えており、第１のネット刃９、仕上げ用ネット刃１０、スリット刃１１、第２のネット刃１２が前後方向Ｘに並設されている。
【００１６】
ネット刃９，１０，１２はいずれも、図４に示すように、側面視（左右方向Ｙに外刃を視た状態）で上方が凸となるように前後方向（短手方向）Ｘに沿って逆Ｕ字状に湾曲して形成されている。さらに、ネット刃９，１０，１２は、正面視（前後方向Ｘに外刃を視た状態）で上方が凸となるように左右方向（長手方向）Ｙに沿って若干湾曲して形成されている。なお、本実施形態では、ネット刃９，１０，１２を、正面視で上方が凸となるように湾曲させているが、必ずしも湾曲させる必要はない。
【００１７】
そして、このネット刃９，１０，１２には、多数の刃穴４０が桟３７によって画成されている。そして、本実施形態では、図１，２に示すように、仕上げ用ネット刃１０の刃幅（前後方向Ｘの幅）が、第１及び第２のネット刃９，１２の刃幅（前後方向Ｘの幅）よりも小さくなるようにしている。このように、仕上げ用ネット刃１０の刃幅を他のネット刃９，１２の刃幅に比して小さく、すなわち、仕上げ用ネット刃１０の曲率半径を小さく設けることで、表面に押し付けた肌を刃穴４０から大きく内側に突出させて体毛を短く剃ることができるようにしている。
【００１８】
スリット刃１１は、前後方向（短手方向）Ｘに沿ってコ字状に湾曲して形成されており、平坦な上壁から側壁に至る多数のスリットを穿設することで形成されている。
【００１９】
そして、外刃８を成す各ネット刃９，１０，１２およびスリット刃１１は、それぞれ専用の外刃枠１３，１４，１６および１５に取り付けられている。
【００２０】
さらに、外刃枠１４の第１のネット刃９側には、肌ガード部材１４ａが形成されており、仕上げ用ネット刃１０を前後に挟むスリット刃１１と肌ガード部材１４ａとによって、曲率半径の小さな仕上げ用ネット刃１０に肌が強く押し付けられることを効果的に防止している。
【００２１】
そして、第１のネット刃９が取り付けられた外刃枠１３および仕上げ用ネット刃１０が取り付けられた外刃枠１４を、保持枠２８にそれぞれ係合させるとともに、スリット刃１１が取り付けられた外刃枠１５および第１のネット刃１２が取り付けられた外刃枠１６を、保持枠２９にそれぞれ係合させている。
【００２２】
なお、外刃枠１３，１４は、保持枠２８にそれぞれ独立して上下動可能に保持されており、外刃枠１５，１６は、保持枠２９にそれぞれ独立して上下動可能に保持されている。
【００２３】
そして、保持枠２８，２９は、それぞれ可動台２６，２７に取り付けられており、当該可動台２６，２７がリニアヘッド部６の上面に取り付けられている。
【００２４】
内刃１７は、外刃８を成す各ネット刃９，１０，１２およびスリット刃１１に対して専用のものが設置されている。具体的には、図２に示すように、各ネット刃９，１０，１２の下方（内方）には、対応するネット刃９，１０，１２の湾曲に沿う逆Ｕ字状の内刃１８，１９，２１が配設されている。また、スリット刃１１の下方（内方）には、このスリット刃１１の湾曲に沿うコ字状のスリット内刃２０が配設されている。
【００２５】
そして、これら内刃１８，１９，２０，２１は、専用の駆動桿２２，２２ａ，２３ａ，２３にそれぞれ装着されている。
【００２６】
このとき、各内刃１８，１９，２０，２１を、上方に付勢されるように駆動桿２２，２２ａ，２３ａ，２３に装着させ、各外刃９，１０，１１，１２の内面に押し付けるようにするのが好適である。
【００２７】
駆動桿２２，２３は、それぞれスライダ２４，２５を介してリニアモータに形成された駆動ピン３０，３１に取り付けられている。なお、可動台２６，２７には、スライダ２４，２５の相対移動（左右方向Ｙへの往復動）を許容する略長方形状の開口部２６ａ，２７ａが設けられており、スライダ２４，２５を可動台２６，２７に干渉することなく左右方向Ｙに往復動できるようにしている。
【００２８】
そして、リニアモータを駆動させると、駆動ピン３０，３１が、それぞれ左右方向（長手方向）Ｙに逆位相で往復動し、この駆動ピン３０，３１の往復動に連動して内刃１８，１９，２０，２１が左右方向（長手方向）Ｙに往復動する。
【００２９】
なお、本実施形態では、駆動桿２２ａが駆動桿２２に、駆動桿２３ａが駆動桿２３にそれぞれ固定されており、内刃１８，１９が一体に往復動するとともに、内刃２０，２１が内刃１８，１９とは逆位相で一体に往復動するようになっている。
【００３０】
このように、各外刃９，１０，１１，１２の下方（内方）に配設された各内刃１８，１９，２０，２１を、各外刃９，１０，１１，１２に対してそれぞれ相対移動（左右方向Ｙへの往復動）させることで、各外刃９，１０，１２の刃穴４０およびスリット刃１１のスリット内に挿入された体毛を、外刃９，１０，１１，１２と内刃１８，１９，２０，２１とで協働して切断するように構成している。
【００３１】
さらに、本実施形態では、外刃８をグリップ部２に対して相対移動させる外刃駆動手段を備えている。
【００３２】
具体的には、モータ３３と、当該モータ３３のモータ軸３３ａに取り付けられるピニオン３４と、ピニオン３４の側面の歯車に噛み合わされる歯車を有するラック３５，３６と、で駆動手段を構成している。
【００３３】
また、可動台２６，２７には、上述した開口部２６ａ，２７ａが設けられており、当該開口部２６ａ，２７ａの左右方向Ｙ両側には、リニアヘッド部６の上面に設けられたガイドピン３２，３２を挿入させる長孔２６ｂ，２７ｂがそれぞれ設けられている。
【００３４】
本実施形態では、長孔２６ｂ，２７ｂは、それぞれ前後方向Ｘおよび左右方向Ｙと交差する方向（図３の矢印ａ方向）に延在している。
【００３５】
そして、ラック３５，３６は、それぞれ可動台２６，２７に取り付けられており、モータ３３が正転、反転を交互に繰り返すことで、可動台２６，２７が、それぞれ前後方向Ｘおよび左右方向Ｙと交差する方向（図３の矢印ａの方向）に逆位相で往復動することとなる。そして、この可動台２６，２７が矢印ａ方向に往復動することで、可動台２６，２７に保持枠２８，２９および外刃枠１３，１４，１５，１６を介して取り付けられた各外刃９，１０，１１，１２が矢印ａ方向に往復動する。すなわち、本実施形態では、外刃駆動手段としてのモータ３３、ピニオン３４、ラック３５，３６によって、外刃８が内刃の往復動方向Ｙと剃り方向Ｘとを含む平面内における往復動を行うようにしている。
【００３６】
なお、スライダ２４，２５の下面側には、長孔２６ｂ，２７ｂの延在方向と略平行に延在する長孔（図示せず）が設けられている。そして、この長孔（図示せず）に駆動ピン３０，３１をスライド自在に差し込むことで、スライダ２４，２５が、左右方向（長手方向）Ｙに往復動しつつ可動台２６，２７の矢印ａ方向への往復動に追従して矢印ａ方向にも往復動できるようにしている。
【００３７】
なお、上述したように、本実施形態では、左右揺動機構が、外刃８の剃り方向Ｘに沿った軸を中心とした旋回運動（外刃８のグリップ部２に対する相対移動）を行い、前後揺動機構が、外刃８の内刃の往復動方向Ｙに沿った軸を中心とした旋回運動（外刃８のグリップ部２に対する相対移動）を行っている。すなわち、図示せぬ左右揺動機構および前後揺動機構も外刃駆動手段に相当するものである。
【００３８】
次に、本実施形態にかかるネット刃９，１０，１２について詳細に説明する。
【００３９】
本実施形態では、ネット刃９，１０，１２は、桟３７によって多数の刃穴４０が画成されている。具体的には、桟３７は、図５に示すように、短手方向（前後方向）Ｘに沿って波状に延在する短手方向桟３９と、長手方向（左右方向）Ｙに沿って延在する長手方向桟３８ａ，３８ｂと、を備えている。そして、これらの桟３９，３８ａ，３８ｂによって平面視略六角状の刃穴４０が画成されている。この刃穴４０は、体毛が挿入可能な大きさに形成されている。
【００４０】
また、ネット刃９，１０，１２は、上述したように、側方から見ると逆Ｕ字状に湾曲して形成されており、最も高い部位に位置する頂部９ａ，１０ａ，１２ａが、肌面との接触圧が大きくなる部位である。そして、頂部９ａ，１０ａ，１２ａの短手方向両側の外側に位置する外側部９ｂ，１０ｂ，１２ｂが、頂部９ａ，１０ａ，１２ａよりも肌面との接触圧が小さくなる部位である。
【００４１】
また、頂部９ａ，１０ａ，１２ａには、図６に示す断面形状の長手方向桟３８ａが配置されており、外側部９ｂ，１０ｂ，１２ｂには、図７に示す長手方向桟３８ｂが配置されている。なお、図５における一点鎖線は頂部９ａ，１０ａ，１２ａの短手方向の中心を通る中心線である。
【００４２】
長手方向桟３８ａは、図６（ａ）、（ｂ）に示すように、断面略平板状に形成されており、長手方向桟３８ａの短手方向端（起毛部）４１は、曲率半径Ｒ１の断面半円状に形成されている。このＲ１は、例えば１０μｍが好ましい。ここで、短手方向桟３９の表面４３は長手方向桟３８ａの表面４２よりも肌側に近づけており、長手方向桟３８ａの表面４２と短手方向桟３９の表面４３との上下距離はＬ１に設定されている。
【００４３】
一方、長手方向桟３８ｂは、図７（ａ）に示すように、断面略Ｕ字状に形成されている。具体的には、短手方向中央４６は平面に形成され、この短手方向中央４６から短手方向の両端に向かうにつれて上方に屈曲して延びる屈曲部４５が設けられ、この短手方向端が先細り形状の起毛部４５ａになっている。これら起毛部４１，４５ａは、肌面とのなす角度が小さい体毛を起こす作用を有するものである。
【００４４】
また、屈曲部４５のうち上側の面は傾斜上面４７であり、下側の面は傾斜下面４８になっている。すなわち、長手方向桟３８ｂは、短手方向中央４６、傾斜上面４７、傾斜下面４８、底面４９によって画成されている。また、屈曲部４５の短手方向端４４と短手方向桟３９の表面４３との上下距離はＬ２に設定されており、Ｌ２<Ｌ１の大小関係でオフセット配置されている。このＬ１とＬ２との差は、例えば１０μｍが好ましい。
【００４５】
さらに、図７（ｂ）に示すように、屈曲部４５の短手方向端４４は、曲率半径Ｒ２の断面半円状に形成されており、Ｒ２<Ｒ１の大小関係に設定されている。このＲ２は、例えば３μｍが好ましい。ここで、二点鎖線で示す短手方向の基準線５０と傾斜上面４７とのなす逃げ角度αは、前述した図６（ａ）のように長手方向桟３８ａの表面４２と短手方向の基準線５０とのなす逃げ角度（０°）よりも大きく設定されている。すなわち、本実施形態にかかる長手方向桟３８ａ，３８ｂでは、頂部９ａ，１０ａ，１２ａに配置された長手方向桟３８ａには逃げ角度を設けず、外側部９ｂ，１０ｂ，１２ｂに配置された長手方向桟３８ｂには逃げ角度を設けている。
【００４６】
長手方向桟３８ｂの長手方向端部５２は、図８，９に示すように、短手方向桟３９の側壁面５１から長手方向に向けて断面略直線状に延びており、長手方向端部５２と長手方向中央部５３とは、境界部５４を介してなだらかに湾曲して連結されている。この境界部５４の曲率半径は例えば１０μｍが好ましい。
【００４７】
このように、本実施形態では、図３に示すように、ネット刃９，１０，１２のグリップ部２に対する相対移動方向（図３の矢印ａ方向）と交差する方向に延在する桟である長手方向桟３８に起毛部４１，４５ａを設けている。
【００４８】
また、本実施形態では、長手方向桟３８ａの短手方向端（起毛部）４１を、曲率半径Ｒ１の断面半円状に形成するとともに、長手方向桟３８ａの表面４２と短手方向桟３９の表面４３との上下距離がＬ１となるようにしている。一方、長手方向桟３８ｂの起毛部４５ａを、曲率半径Ｒ１よりも小さい曲率半径Ｒ２の断面半円状に形成するとともに、屈曲部４５の短手方向端４４と短手方向桟３９の表面４３との上下距離がＬ１よりも短いＬ２となるようにしている。
【００４９】
このように、本実施形態では、Ｒ２<Ｒ１、Ｌ２<Ｌ１とすることで、ネット刃９，１０，１２の領域のうち肌面との接触圧が高い部位（頂部９ａ，１０ａ，１２ａ）に設けられた起毛部４１の体毛を起立させる起毛力が、接触圧が低い部位（外側部９ｂ，１０ｂ，１２ｂ）に設けられた起毛部４５ａの起毛力よりも小さくなるようにしている。
【００５０】
また、起毛部４１，４５ａは長手方向桟３８ａ，３８ｂの延在方向Ｙと直交する方向（短手方向）Ｘの両端に設けられている。そして、外側部９ｂ，１０ｂ，１２ｂの起毛部（起毛部４１，４５ａのうち少なくとも外刃の接触圧が低い部位に設けられた起毛部）４５ａは、長手方向桟３８ｂの底面（内刃側の面）４９を下方にした状態で、当該底面（内刃側の面）４９が短手方向Ｘの両端に向かうにつれて上方に傾斜した先細り状となっている。
【００５１】
以上説明したように、本実施形態では、ネット刃（外刃）９，１０，１２のグリップ部２に対する相対移動方向（図３の矢印ａ方向）と交差する方向に延在する桟である長手方向桟３８に起毛部４１，４５ａを設けている。したがって、ネット刃（外刃）９，１０，１２のグリップ部２に対する相対移動の際に、寝ている体毛を効率的に起毛させることができるようになる。その結果、寝ている体毛のネット刃（外刃）９，１０，１２の刃穴４０への導入性能のさらなる向上を図ることができる。
【００５２】
なお、起毛部を設ける桟については、外刃のグリップ部に対する相対移動方向と交差する方向に延在していればよいが、相対移動方向との交差角度が大きい（相対移動方向と桟の延在方向とのなす鋭角が大きい）方がより好ましい。したがって、本実施形態のように、外刃８が矢印ａ方向に往復動する場合、図３に示すように、短手方向桟３９のうち、矢印ａ方向との交差角度が大きい部位３９ａに設ければ、外刃がグリップ部に対して相対移動する際に、寝ている体毛をより効率的に起毛させることができるようになる。
【００５３】
なお、長手方向桟３８の延在方向（長手方向）Ｙは、外刃のグリップ部に対する相対移動方向（図３の矢印ａ方向）と交差するとともに、電気かみそり１の剃り方向（短手方向）Ｘとも交差している。
【００５４】
したがって、本実施形態のように、長手方向桟３８に起毛部４１，４５ａを設ければ、外刃のグリップ部に対する相対移動による起毛に加えて、体毛を剃る際に、電気かみそり１を剃り方向に動かした際にも、起毛部４１，４５ａによって、寝ている体毛を起毛させることができるようになる。
【００５５】
また、本実施形態によれば、ネット刃（外刃）９，１０，１２の領域のうち、ネット刃（外刃）９，１０，１２と肌面との接触圧が高い部位における体毛を起立させる起毛力を、接触圧が低い部位における起毛力よりも小さく設定している。
【００５６】
このように、肌面との接触圧が高い部位の起毛力を、接触圧が低い部位の起毛力よりも小さくすることにより、肌面との接触圧が高い部位が肌面に与える影響（ダメージ）を抑制することができる。
【００５７】
また、肌面との接触圧が低い部位については、肌面に与える影響がもともと低いため、起毛力を高めて効率的な起毛を行うことができる。
【００５８】
さらに、押付け力の比較的低い粗剃り時には、起毛力の高い起毛部４５ａの肌との接触圧が低いため、肌のすべり性が低下してしまうのを抑制することができ、仕上げ剃り時のような比較的高い押付力の時には、起毛力の高い起毛部４５ａが作用することによって、寝ている体毛を起毛させ、外刃８の刃穴４０への導入性能の向上を図ることができるという利点もある（図１６参照）。
【００５９】
また、本実施形態によれば、桟は、ネット刃（外刃）９，１０，１２の長手方向に沿って延設される長手方向桟３８ａ，３８ｂと、長手方向に交差する短手方向に沿って延設される短手方向桟３９とからなり、ネット刃（外刃）９，１０，１２が網目状になっている。そのため、体毛を刃穴４０に挿入しやすくなって、体毛を剃りやすくすることができるという効果がある。
【００６０】
また、本実施形態によれば、ネット刃（外刃）９，１０，１２は側方から見ると逆Ｕ字状に湾曲して形成されており、起毛部４１，４５ａを、ネット刃（外刃）９，１０，１２の長手方向桟３８ａ，３８ｂにおける短手方向の両端に形成している。このため、電気かみそり１を、短手方向の一方方向および他方方向のいずれの方向に移動させても、体毛を起立させることができるため、使用者の使い勝手が良好となるという効果がある。
【００６１】
また、本実施形態によれば、外側部９ｂ，１０ｂ，１２ｂの起毛部（起毛部４１，４５ａのうち少なくとも外刃の接触圧が低い部位に設けられた起毛部）４５ａを、長手方向桟３８ｂの内刃側の面を下方にした状態で、当該内刃側の面が短手方向Ｘの両端に向かうにつれて上方に傾斜した先細り状としている。このように、短手方向端を断面テーパ状（先細り形状）にして起毛部４５ａとすることで、簡素な形状で起毛部４５ａを形成することができる。また、起毛部４５ａを内刃側の面が短手方向Ｘの両端に向かうにつれて上方に傾斜した先細り状とすることで、起毛角（体毛の延びている方向と肌面とのなす角度）の小さい体毛が、起毛部４５ａと肌との間に潜り込んでしまうのを抑制することができ、寝ている体毛をより確実に起立させることができる。
【００６２】
そして、長手方向桟（外刃と肌面との接触圧が高い部位における長手方向桟）３８ａの短手方向端（起毛部）４１の曲率半径Ｒ１を、長手方向桟（外刃と肌面との接触圧が低い部位における長手方向桟）３８ｂの短手方向端の曲率半径Ｒ２よりも大きく設定している。このように、肌面との接触圧が高い部位の短手方向端の曲率半径Ｒ１を、接触圧が低い部位の短手方向端の曲率半径Ｒ２よりも大きくすることにより、肌面との接触圧が高い部位が肌面に与える影響（ダメージ）をより確実に抑制することができる。
【００６３】
また、本実施形態によれば、長手方向桟（外刃と肌面との接触圧が高い部位における長手方向桟）３８ａの短手方向端４１の表面と短手方向桟３９の表面４３との距離Ｌ１を、長手方向桟（外刃と肌面との接触圧が低い部位における長手方向桟）３８ｂの短手方向端４４の表面と短手方向桟３９の表面４３との距離Ｌ２よりも大きく設定している。こうすれば、肌面との接触圧が高い部位における長手方向桟３８ａが肌面に与える影響（ダメージ）を抑制することができる。
【００６４】
また、本実施形態によれば、長手方向桟３８ｂの全体の断面形状を略Ｕ字状に形成し、屈曲部４５の表面に短手方向５０に対する逃げ角αを設け、肌面との接触圧が高い部位における逃げ角を、肌面との接触圧が低い部位における逃げ角αよりも小さく設定している。このため、肌面との接触圧が高い部位が肌面に与える影響（ダメージ）を抑制することができる。
【００６５】
また、本実施形態によれば、長手方向桟３８ｂにおける長手方向端部５２は断面略直線状に形成し、長手方向中央部５３に屈曲部４５を設け、これらの長手方向端部５２と長手方向中央部５３との境界部５４をなだらかに湾曲させて連結させている。このように、長手方向桟３８ｂにおける長手方向端部５２と長手方向中央部５３との境界部５４をなだらかに湾曲させて連結させることにより、ネット刃（外刃）９，１０，１２を肌面上に沿って移動させたときに、境界部５４が肌面に与える影響（ダメージ）を抑制することができる。
【００６６】
なお、本実施形態では、外刃８のグリップ部２に対する矢印ａ方向への相対移動について例示したが、外刃のグリップ部に対する相対移動は、これに限るものではない。
【００６７】
以下では、矢印ａ方向以外の相対移動について説明する。
【００６８】
まず、図１０に示すように、外刃８Ａがグリップ部２に対して剃り方向Ｘに往復動する場合、上記実施形態と同様に、長手方向桟（外刃のグリップ部に対する相対移動方向と交差する方向に延在する桟）３８に起毛部を設けるようにすればよい。こうすれば、外刃８Ａのグリップ部２に対する相対移動の際に、寝ている体毛を効率的に起毛させることができるようになる。
【００６９】
また、図１１に示すように、外刃８Ｂがグリップ部２に対して内刃の往復動方向Ｙに往復動する場合、短手方向桟（外刃のグリップ部に対する相対移動方向と交差する方向に延在する桟）３９に起毛部を設けるようにすればよい。こうすれば、外刃８Ｂのグリップ部２に対する相対移動の際に、寝ている体毛を効率的に起毛させることができるようになる。
【００７０】
また、図１２に示すように、外刃８Ｃがグリップ部２に対して内刃の往復動方向Ｙおよび剃り方向Ｘと略直交する方向Ｚに沿った軸Ｃ１を中心として旋回運動する場合、長手方向桟３８および短手方向桟３９（軸Ｃ１を中心とした円周と交差する方向に延在する桟）に起毛部を設けるようにすればよい。こうすれば、外刃８Ｃがグリップ部２に対して軸Ｃ１を中心として旋回運動した際に、寝ている方向に関わらず体毛を起毛させることができるようになる。
【００７１】
また、図１３に示すように、外刃８Ｄが内刃１７の往復動方向Ｙに沿った軸Ｃ２を中心として旋回運動する場合、上記実施形態と同様に、長手方向桟（外刃のグリップ部に対する相対移動方向と交差する方向に延在する桟）３８に起毛部を設けるようにすればよい。こうすれば、外刃８Ｄのグリップ部２に対する相対移動の際に、寝ている体毛を効率的に起毛させることができるようになる。
【００７２】
また、上記実施形態のように、肌面との接触圧が高い部位の起毛力を、接触圧が低い部位の起毛力よりも小さくすれば、外刃８Ｄが内刃１７の往復動方向Ｙに沿った軸Ｃ２を中心として旋回運動する場合にあっても、肌面との接触圧が高い部位が肌面に与える影響（ダメージ）を抑制することができる。さらに、外刃８Ｄの軸Ｃ２を中心とする旋回運動によって、接触圧が低い部位に設けられた起毛力の高い起毛部を、効果的に肌に作用させることができる。
【００７３】
また、図１４に示すように、外刃８Ｅがグリップ部２に対して剃り方向Ｘに沿った軸Ｃ３を中心として旋回運動する場合、短手方向桟（外刃のグリップ部に対する相対移動方向と交差する方向に延在する桟）３９に起毛部を設けるようにすればよい。こうすれば、外刃８Ｅのグリップ部２に対する相対移動の際に、寝ている体毛を効率的に起毛させることができるようになる。
【００７４】
また、正面視で逆Ｕ字状に湾曲形成された外刃８Ｅを用いる場合、肌面との接触圧が高い部位である頂部８Ｅａに設けた起毛部の起毛力を、接触圧が低い部位である外側部（左右方向Ｙ両端部）８Ｅｂに設けた起毛部の起毛力よりも小さくしてもよい。こうすれば、肌面との接触圧が高い部位が肌面に与える影響（ダメージ）を抑制することができる。
【００７５】
また、図１５に示すように、外刃８Ｆがグリップ部２に対して内刃の往復運動方向Ｙおよび剃り方向Ｘと略直交する方向（上下方向）Ｚへ往復動する場合、逆Ｕ字状に湾曲形成された外刃８Ｆの外側部の長手方向桟（上下方向Ｚと交差する方向に延在する桟）３８ｂに起毛部を設けるようにすればよい。こうすれば、外刃８Ｆの上方への移動に伴って起毛部が作用し、寝ている体毛を起毛させることができる。このとき、肌面との接触圧が低い部位に、肌面との接触圧が高い部位よりも起毛力が高い起毛部を設けるようにすれば、肌面との接触圧が高い部位（頂部）が肌面に与える影響（ダメージ）を抑制することができる。
【００７６】
以上、本発明の好適な実施形態について説明したが、本発明は上記実施形態には限定されず、種々の変形が可能である。
【００７７】
例えば、上記実施形態において、長手方向桟３８として、長手方向桟３８ａ，３８ｂを例示したが、図１７に示す形状とすることも可能であるし、これら以外にも種々の形状とすることができる。以下図１７の形状について説明する。
【００７８】
頂部に配設される長手方向桟７１は、図１７（ａ）に示すように、上面７３が平坦に形成され、短手方向端に起毛部７７が形成されている。また、上面７３と傾斜面７５とのテーパの開き角度がβ１に設定されている。一方、外側部に配設される長手方向桟７９は、図１７（ｂ）に示すように、上面８１が平坦に形成され、短手方向端に起毛部８５が形成されている。また、上面８１と傾斜面８３とのテーパの開き角度がβ２に設定されている。なお、テーパの開き角度は、β２<β１の大小関係に設定されており、β１は例えば７０°が好ましく、β２は例えば２０°が好ましい。
【００７９】
このように、肌面との接触圧が高い部位における長手方向桟７１の短手方向端のテーパの開き角度β１を、接触圧が低い部位における長手方向桟７９の短手方向端のテーパの開き角度β２よりも大きく設定することでも、肌面との接触圧が高い部位が肌面に与える影響（ダメージ）を抑制することができる。
【００８０】
また、上記実施形態においては、左右方向Ｙ両端部を含めた頂部に、起毛力が略同一の起毛部を設けたものを例示したが、頂部の左右方向Ｙ中央部、頂部の左右方向Ｙ両端部、外側部と徐々に起毛力が高くなるように、外刃の桟に起毛部を設けるようにしてもよい。
【００８１】
また、上記実施形態においては、頂部の長手方向桟の形状を断面略平板状としたものを例示したが、これに限らず、頂部の長手方向桟の断面形状を上に凸の逆Ｕ字状にしてもよい。すなわち、肌面との接触圧が高い部位である頂部には、起毛部を設けないようにしてもよい。こうすれば、肌面との接触圧が高い部位が肌面に与える影響（ダメージ）をより一層抑制することができる。
【００８２】
また、上記実施形態では、外刃を４枚並列したものを例示したが、外刃の数は、１〜３枚であっても、５枚以上であってもよい。
【００８３】
また、上述した外刃のグリップ部に対する複数種類の相対移動は、それぞれ単独で行わせることもできるし、複数種類の相対移動を組み合わせることも可能である。このとき、外刃の桟のうち起毛部を設ける部位ならびに起毛力の大きさを適宜に設定することで、上述した作用、効果を奏するようにすればよい。
【００８４】
また、外刃や内刃、その他細部のスペック（形状、大きさ、レイアウト等）も適宜に変更可能である。
【符号の説明】
【００８５】
１  電気かみそり
２  グリップ部
８  外刃
９ａ，１０ａ，１２ａ  頂部
９ｂ，１０ｂ，１２ｂ  外側部
１７  内刃
３３  モータ（外刃駆動手段）
３４  ピニオン（外刃駆動手段）
３５，３６  ラック（外刃駆動手段）
３７  桟
４０  刃穴
４１，４５ａ，７７，８５  起毛部
【図１】
2011147646.tif 000003
【図２】
2011147646.tif 000004
【図３】
2011147646.tif 000005
【図４】
2011147646.tif 000006
【図５】
2011147646.tif 000007
【図６】
2011147646.tif 000008
【図７】
2011147646.tif 000009
【図８】
2011147646.tif 000010
【図９】
2011147646.tif 000011
【図１０】
2011147646.tif 000012
【図１１】
2011147646.tif 000013
【図１２】
2011147646.tif 000014
【図１３】
2011147646.tif 000015
【図１４】
2011147646.tif 000016
【図１５】
2011147646.tif 000017
【図１６】
2011147646.tif 000018
【図１７】
2011147646.tif 000019